(57)【特許請求の範囲】
【請求項１】
器具本体と、
前記器具本体に配置された基板と、
前記基板に配置された発光素子と、
貫通孔を有し、前記発光素子から出射する光が入射する光学部材と、
前記光学部材を前記器具本体に取り付けるための取付ネジとを備え、
前記基板及び前記光学部材は、リング状であり、
前記基板と前記光学部材とは、前記基板の第１凹凸構造と前記光学部材の第２凹凸構造とによって互いに位置決めされており、
前記取付ネジは、前記貫通孔に対して遊びを持って挿通されて前記器具本体にネジ止めされており、
前記貫通孔は、前記光学部材の内周部に設けられており、
前記第２凹凸構造は、前記光学部材の外周部に設けられている、
照明器具。
【請求項２】
前記貫通孔は、前記光学部材の内周部に位置し且つ前記光学部材の内周端部から内方に向かって突出する第１の突出部に設けられており、
前記第２凹凸構造は、前記光学部材の外周部に位置し且つ前記光学部材の外周端部から外方に向かって突出する第２の突出部に設けられている、
請求項１に記載の照明器具。
【請求項３】
前記光学部材は、前記遊びによって前記取付ネジの軸方向に対して遊動可能である、
請求項１又は２に記載の照明器具。
【請求項４】
前記取付ネジは、ネジ部と、頭部と、前記ネジ部及び前記頭部の間に位置する軸部とを有し、
前記ネジ部は、前記器具本体にねじ込まれ、
前記頭部は、前記貫通孔の入口部に係止され、
前記軸部は、前記貫通孔内に位置し、
前記軸部の軸方向において、前記軸部の長さは、前記貫通孔の長さよりも長い、
請求項３に記載の照明器具。
【請求項５】
前記軸部の径は、前記ネジ部の径よりも大きい、
請求項４に記載の照明器具。
【請求項６】
前記貫通孔と前記取付ネジとの間には、隙間が存在する、
請求項１〜５のいずれか１項に記載の照明器具。
【請求項７】
平面視において、前記貫通孔は、長孔である、
請求項６に記載の照明器具。
【請求項８】
前記第１凹凸構造として、前記基板は開口部を有し、
前記第２凹凸構造として、前記光学部材は凸部を有しており、
前記基板と前記光学部材とは、前記凸部が前記開口部に挿入されることで位置決めされている、
請求項１〜７のいずれか１項に記載の照明器具。
【請求項９】
前記基板は、複数に分割されている
請求項１〜８のいずれか１項に記載の照明器具。
【請求項１０】
前記発光素子は、複数であり、
前記光学部材は、前記複数の発光素子を覆う透光性の光源カバーであり、
前記光源カバーは、前記複数の発光素子の各々に対応するレンズ部を有する
請求項１〜９のいずれか１項に記載の照明器具。
【請求項１１】
前記光学部材は、樹脂材料によって構成されており、
前記器具本体は、金属材料によって構成されている
請求項１〜１０のいずれか１項に記載の照明器具。
【請求項１２】
第１貫通孔を有する器具本体と、
前記器具本体に配置された基板と、
前記基板に配置された発光素子と、
第２貫通孔を有し、前記発光素子から出射する光が入射する光学部材と、
前記光学部材を前記器具本体に取り付けるための取付ネジとを備え、
前記基板と前記光学部材とは、凹凸構造によって互いに位置決めされており、
前記取付ネジは、前記第２貫通孔に対して遊びを持って挿通されて前記器具本体にネジ止めされており、
前記凹凸構造として、前記基板は開口部を有し、前記光学部材は凸部を有しており、
前記基板と前記光学部材とは、前記凸部が前記開口部に挿入されることで位置決めされており、
前記凸部は、前記開口部に嵌合されているとともに、前記第１貫通孔に挿通されていて且つ前記第１貫通孔に遊貫している、
照明器具。
【発明の詳細な説明】
【技術分野】
【０００１】
本発明は、本発明は、ＬＥＤ（Ｌｉｇｈｔ  Ｅｍｉｔｔｉｎｇ  Ｄｉｏｄｅ）等の発光素子を有する照明器具に関する。
【背景技術】
【０００２】
照明器具の一つとして、シーリングライトが知られている（例えば、特許文献１参照）。シーリングライトは、例えば、器具本体と、器具本体に取り付けられた発光モジュールと、発光モジュールを発光させるための電力を生成する電源ユニットと、発光モジュールからの光が透過するカバー（グローブ）とを備える。発光モジュールは、基板と、基板に実装された複数の発光素子とを有する。
【先行技術文献】
【特許文献】
【０００３】
【特許文献１】特開２０１３−４８１６７号公報
【発明の概要】
【発明が解決しようとする課題】
【０００４】
照明器具では、発光素子で発生する熱を器具本体側に放熱させるために、発光素子が配置された基板を器具本体に接触させている。発光素子が配置された基板は、例えば取付ネジによって器具本体に取り付けられる。さらに、照明器具には、発光素子から出射する光を制御するために、レンズ部を有するレンズカバー等の光学部品が設けられている場合がある。このような光学部品は、発光素子との位置関係が重要となる。つまり、光学部品と発光素子が配置された基板とは、位置ずれが生じないように器具本体に取り付けられていなければならない。
【０００５】
従来の照明器具では、光学部品は、取付ネジによって厚み方向に締め付けられるようにして器具本体に取り付けられている。このため、照明器具の点消灯による温度変化で光学部品及び器具本体が膨張したり収縮したりすると、光学部品及び器具本体に応力が発生してクラックが発生したり耳障りな音なりが発生したりする。
【０００６】
特に、光学部品と器具本体との材料が異なっている場合には、光学部品及び器具本体の線膨張係数差によってクラック及び音なりが発生しやすい。例えば、光学部品が樹脂製で、器具本体が金属製であると、金属と樹脂とでは線膨張係数が大きく異なることから、光学部品及び器具本体の熱膨張（体積膨張）又は熱収縮（体積収縮）の差が大きくなる。このため、樹脂製の光学部品の方に応力歪みが生じてクラックが発生しやすい。
【０００７】
本発明は、上記課題を解決するためになされたものであり、発光素子が配置された基板と光学部品との位置ずれを抑制しつつ、ネジ止めされた光学部品と器具本体との膨張及び収縮によって生じる応力及び音なりを抑制できる照明器具を提供することを目的とする。
【課題を解決するための手段】
【０００８】
上記目的を達成するために、本発明に係る照明器具の一態様は、器具本体と、前記器具本体に配置された基板と、前記基板に配置された発光素子と、貫通孔を有し、前記発光素子から出射する光が入射する光学部材と、前記光学部材を前記器具本体に取り付けるための取付ネジとを備え、前記基板と前記光学部材とは、凹凸構造によって互いに位置決めされており、前記取付ネジは、前記貫通孔に対して遊びを持って挿通されて前記器具本体にネジ止めされている。
【発明の効果】
【０００９】
本発明によれば、発光素子が配置された基板と光学部品との位置ずれを抑制しつつ、ネジ止めされた光学部品と器具本体との膨張及び収縮によって生じる応力及び音なりを抑制できる。
【図面の簡単な説明】
【００１０】
【図１】実施の形態に係る照明器具の床面側の外観を示す斜視図である。
【図２】実施の形態に係る照明器具の天井側の外観を示す斜視図である。
【図３】カバーを取り外した状態での、実施の形態に係る照明器具の分解斜視図である。
【図４】実施の形態に係る照明器具の分解斜視図である。
【図５】図１のV−V線における実施の形態に係る照明器具の断面図である。
【図６】実施の形態に係る照明器具における、器具本体、発光モジュール及び光源カバーの分解斜視図である。
【図７Ａ】実施の形態に係る照明器具における、器具本体、発光モジュール及び光源カバーの平面図である。
【図７Ｂ】図７Ａにおける光源カバーの第１の突出部周辺の拡大平面図である。
【図８】図７Ａから光源カバーを外した状態の平面図である。
【図９】図５の破線で囲まれる領域VIの拡大断面図である。
【図１０】実施の形態に係る照明器具に用いられる取付ネジの斜視図である。
【図１１】図７ＡのXI−XI線における実施の形態に係る照明器具の拡大断面図である。
【図１２】実施の形態に係る照明器具に用いられる導光板を斜め上方から見たときの斜視図である。
【図１３】実施の形態に係る照明器具に用いられる導光板を斜め下方から見たときの斜視図である。
【図１４】図７ＡのXIV−XIV線における実施の形態に係る照明器具の拡大断面図である。
【発明を実施するための形態】
【００１１】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
各図は模式図であり、必ずしも厳密に図示されたものではない。したがって、各図において縮尺等は必ずしも一致していない。各図において、実質的に同一の構成に対しては同一の符号を付しており、重複する説明は省略又は簡略化する。
【００１３】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。なお、Ｚ軸方向のプラス方向を鉛直下方としている。
【００１４】
（実施の形態）
以下、実施の形態に係る照明器具１について説明する。
【００１５】
［１．照明器具の構成］
［１−１．照明器具の全体構成］
まず、実施の形態に係る照明器具１の全体構成について、図１〜図５を用いて説明する。図１は、実施の形態に係る照明器具１の床面側の外観を示す斜視図である。図２は、同照明器具１の天井２側の外観を示す斜視図である。図３は、カバー４０を取り外した状態での同照明器具１の斜視図である。図４は、同照明器具１の分解斜視図である。図５は、図１のV−V線における同照明器具１の断面図である。なお、図５は、後述する図７のV−V線における断面に対応している。また、図３及び図４において、取付ネジ１００等の各種ネジは、省略している。
【００１６】
図１〜図５に示される照明器具１は、例えば、住宅等の建物の造営材に設置される。一例として、照明器具１は、図４に示すように、建物の天井２（造営材の一例）に設置されるシーリングライトであり、建物の内部の空間を照明する。具体的には、照明器具１は、天井２に設けられた引っ掛けシーリングボディ３に取り付けられることによって天井２に設置される。
【００１７】
図１〜図５に示すように、照明器具１は、器具本体１０、発光モジュール２０（光源ユニット）、電源ユニット３０、カバー４０、光源カバー５０、器具取付部材６０、化粧カバー７０、導光板８０、反射部材９０、及び、取付ネジ１００を備える。
【００１８】
図４及び図５に示すように、電源ユニット３０、発光モジュール２０、光源カバー５０及びカバー４０は、天井２（図４参照）から床面に向かって、この順で配置されている。つまり、電源基板３１、光源基板２１、光源カバー５０及びカバー４０は、この順で配置されている。
【００１９】
以下、図１〜図５を参照しながら、さらに図６〜図１４を用いて、照明器具１の各構成部品及びそれらの接続関係について詳細に説明する。
【００２０】
図６は、同照明器具１における、器具本体１０、発光モジュール２０及び光源カバー５０の分解斜視図である。図７Ａは、同照明器具１における、器具本体１０、発光モジュール２０及び光源カバー５０の平面図である。図７Ｂは、図７Ａにおける光源カバー５０の第１の突出部５１周辺の拡大平面図である。図８は、図７Ａから光源カバー５０を外した状態の平面図である。図９は、図５の破線で囲まれる領域VIの拡大断面図である。図１０は、同照明器具１に用いられる取付ネジ１００の斜視図である。図１１は、図７ＡのXI−XI線における同照明器具１の拡大断面図である。図１２及び図１３は、同照明器具１に用いられる導光板８０の斜視図である。図１４は、図７ＡのXIV−XIV線における同照明器具１の拡大断面図である。
【００２１】
なお、図１〜図９、図１１、図１４において、Ｚ軸のマイナス側が天井２側、Ｚ軸のプラス側が床面（図示せず）側を表している。また、説明の都合上、図１、図３〜図６、図９、図１１、図１４では、照明器具１を通常の使用時の姿勢とは上下逆の姿勢で図示している。
【００２２】
［１−２．器具本体］
器具本体１０は、発光モジュール２０及び電源ユニット３０を支持するための筐体である。図５に示すように、本実施の形態において、器具本体１０は、さらに、光源カバー５０、化粧カバー７０、導光板８０及び反射部材９０を支持している。
【００２３】
図４に示すように、器具本体１０は、発光モジュール２０の光源基板２１を支持する第１の支持部１１ａ及び電源ユニット３０の電源基板３１を支持する第２の支持部１２ａを有する。具体的に、器具本体１０は、第１の支持部１１ａを有する第１の器具本体１１と、第２の支持部１２ａを有する第２の器具本体１２とによって構成されている。
【００２４】
第１の器具本体１１は、発光モジュール２０を支持する。第１の器具本体１１の第１の支持部１１ａは、発光モジュール２０が取り付けられる取付部であり、床面側に向けて突出するように形成されている。具体的には、第１の支持部１１ａには発光モジュール２０の光源基板２１が載置される。つまり、第１の支持部１１ａの床面側の面は、発光モジュール２０の光源基板２１が載置される基板載置面として機能する。
【００２５】
また、第１の器具本体１１は、発光モジュール２０からの光を反射するための反射カバーとしても機能する。さらに、第１の器具本体１１は、発光モジュール２０からの熱を放熱するためのヒートシンクとしても機能する。
【００２６】
図４及び図６に示すように、第１の器具本体１１の第１の支持部１１ａには、第１の開口部１１ｂ（器具本体開口部）が形成されている。第１の開口部１１ｂは、例えば、第１の支持部１１ａの中央部分に形成された貫通孔である。
【００２７】
また、図６に示すように、第１の支持部１１ａには、第１のネジ孔１１ａ１、貫通孔１１ａ２及び第２のネジ孔１１ａ３が設けられている。第１のネジ孔１１ａ１には、光源カバー５０を器具本体１０に取り付けるための取付ネジ１００がねじ込まれる。貫通孔１１ａ２には、光源カバー５０の凸部５２ａが挿入される。第２のネジ孔１１ａ３には、導光板８０及び反射部材９０を器具本体１０に取り付けるための取付ネジ１２０がねじ込まれる。
【００２８】
また、第１の器具本体１１の第１の支持部１１ａの中央部には、略矩形状の貫通孔１１ｃが形成されている。第１の器具本体１１の第１の支持部１１ａの外周部には、フランジ部１１ｄが形成されている。
【００２９】
第１の器具本体１１は、金属製であり、金属材料によって構成されている。第１の器具本体１１は、例えばアルミニウム板又は鋼板等の板金をプレス加工することによって所定の形状に成形される。第１の器具本体１１の一方側の面（床面側の面）には、反射性を高めて光取り出し効率を向上させるために、白色塗料が塗布、又は、反射性金属材料が蒸着されていてもよい。
【００３０】
図５に示すように、第１の器具本体１１は、第２の器具本体１２一方側の面を覆うように配置されている。図示されていないが、第１の器具本体１１のフランジ部１１ｄは、第２の器具本体１２のフランジ部１２ｃに複数のネジで取り付けられる。なお、第１の器具本体１１の貫通孔１１ｃの周縁部は、電源ユニット３０の絶縁ケース１３の筒状部１３ａの先端部で支持されている。
【００３１】
図４及び図５に示すように、第２の器具本体１２は、電源ユニット３０を支持する。第２の器具本体１２の第２の支持部１２ａは、電源ユニット３０を配置するための配置部である。つまり、第２の支持部１２ａの床面側の面は、電源ユニット３０の電源基板３１が配置される基板配置面として機能する。なお、本実施の形態において、電源基板３１は、絶縁ケース１３を介して第２の支持部１２ａに配置されている。
【００３２】
第２の器具本体１２は、照明器具１の外郭部材を構成している。したがって、第２の器具本体１２の外面は、外気に曝されており、放熱面として機能する。
【００３３】
図５に示すように、第２の器具本体１２の第２の支持部１２ａの中央部には、円形状の貫通孔１２ｂが形成されている。貫通孔１２ｂの周縁部には、第２の器具本体１２を器具取付部材６０に装着するためのホルダ１４が固定されている。ホルダ１４の内部には器具取付部材６０が着脱自在に嵌合される。また、図４に示すように、第２の器具本体１２の第２の支持部１２ａの外周部には、第１の器具本体１１を支持するためのフランジ部１２ｃが形成されている。
【００３４】
第２の器具本体１２は、金属製であり、金属材料によって構成されている。第２の器具本体１２は、例えばアルミニウム板又は鋼板等の板金をプレス加工することによって所定の形状に成形される。本実施の形態において、第１の器具本体１１と第２の器具本体１２とは同じ金属材料によって構成されている。
【００３５】
さらに、図４及び図５に示すように、第２の器具本体１２の一方側の面（床面側の面）には、絶縁ケース１３が固定されている。絶縁ケース１３は、略矩形状の筒状に形成された筒状部１３ａと電源ユニット３０を支持する支持板１３ｂとを有する。筒状部１３ａは、ホルダ１４を囲むように形成されている。支持板１３ｂには、電源ユニット３０の電源基板３１が載置される。絶縁ケース１３は、例えば絶縁性樹脂材料で形成されている。
【００３６】
さらに、図２及び図５に示すように、第２の器具本体１２の他方側の面（天井２側の面）には、例えばウレタン等で形成されたクッション部材１５が複数取り付けられている。複数のクッション部材１５は、第２の器具本体１２の周方向に沿って等間隔で配置されている。後述するように、照明器具１が天井２に設置された際に、複数のクッション部材１５が器具本体１０（第２の器具本体１２）と天井２との間に挟み込まれることにより、照明器具１のぐらつきが抑制される。
【００３７】
［１−３．発光モジュール］
発光モジュール２０は、照明器具１の光源部となる光源モジュールであり、例えば白色光を発する。発光モジュール２０は、器具本体１０の第１の器具本体１１に取り付けられている。
【００３８】
図６及び図８に示すように、発光モジュール２０は、光源基板２１（第１の基板）と、光源基板２１に配置された複数の発光素子２２とを有する。
【００３９】
光源基板２１は、発光素子２２を実装するための実装基板である。光源基板２１は、例えば、金属配線が形成されたプリント配線基板であり、光源基板２１の一方の面には、金属配線が所定形状でパターン形成されている。
【００４０】
光源基板２１は、器具本体１０に配置されている。具体的には、光源基板２１は、発光素子２２が床面側を向くようにして、第１の器具本体１１の第１の支持部１１ａに載置されている。
【００４１】
図６及び図８に示すように、本実施の形態において、光源基板２１は、複数である。複数の光源基板２１は、環状となるように、互いに隣接して配置されている。つまり、光源基板２１は、環状形状の基板を複数に分割した構成となっている。具体的には、３つの光源基板２１を用いて、全体として円環状（リング状）となるように配置されている。円環状に配置された複数の光源基板２１は、導光板８０の周方向に沿って並んで配置される。本実施の形態において、各光源基板２１の平面視形状は、一定の幅のリング形状を周方向に３等分した形状となっている。図６に示すように、複数の光源基板２１の各々は、第１の器具本体１１の貫通孔１１ｃを囲むようにして、第１の器具本体１１の一方側の面にネジ（不図示）で取り付けられている。
【００４２】
各光源基板２１は、例えば、絶縁性を有する樹脂材料によって構成された樹脂基板である。光源基板２１は、樹脂基板に限るものではなく、表面が樹脂被膜された金属材料からなるメタルベース基板、セラミック材料の焼結体であるセラミック基板、又は、ガラス材料からなるガラス基板等であってもよい。また、光源基板２１は、リジッド基板に限るものではなく、フレキシブル基板であってもよい。なお、光源基板２１の表面には、金属配線を覆うように絶縁被膜としてレジスト膜が形成されていてもよい。
【００４３】
図６及び図８に示すように、光源基板２１は、開口部２１ａを有する。開口部２１ａは、光源カバー５０の凸部５２ａに一対一で対応しており、開口部２１ａには凸部５２ａが挿入される。開口部２１ａは、光源基板２１と光源カバー５０とを位置決めするための凹凸構造であり、図１１に示すように、開口部２１ａに凸部５２ａが挿入されることで、光源基板２１と光源カバー５０とが互いに位置決めされる。
【００４４】
本実施の形態において、開口部２１ａは、３つの光源基板２１の各々に２つずつ形成されている。開口部２１ａは、例えば光源基板２１を貫通する貫通孔であるが、これに限るものではなく、凸部５２ａを挿入することができれば、底を有する凹部であってもよい。
【００４５】
また、図６に示すように、光源基板２１は、開口部２１ｂを有する。開口部２１ｂは、取付ネジ１２０が挿入される貫通孔である。本実施の形態において、開口部２１ｂは、３つの光源基板２１の各々に２つずつ形成されている。
【００４６】
図６及び図８に示すように、光源基板２１には、発光素子２２が配置されている。具体的には、複数の発光素子２２が光源基板２１の一方の面に実装されている。発光素子２２は、照明器具１によって空間を明るくするためのベース照明となる照明光を発する。
【００４７】
本実施の形態において、発光素子２２は、第１の発光素子２２ａと第２の発光素子２２ｂとを含む。第１の発光素子２２ａ及び第２の発光素子２２ｂは、光源基板２１の一方の面（床面側の面）にそれぞれ複数実装されている。
【００４８】
複数の第１の発光素子２２ａは、光源基板２１の内周領域に実装されている。具体的には、複数の第１の発光素子２２ａは、光源基板２１の内周領域において、光源基板２１の径方向に例えば３列配置されている。各列において、複数の第１の発光素子２２ａは、光源基板２１の周方向に間隔を置いて配置されている。これにより、発光モジュール２０全体としては、複数の第１の発光素子２２ａは、円環状に実装される。つまり、光源基板２１における複数の第１の発光素子２２ａが実装される領域は、円環状である。第１の発光素子２２ａから出射する光は、光源カバー５０及びカバー４０を透過して照明器具１の外部に出射する。
【００４９】
複数の第２の発光素子２２ｂは、光源基板２１の外周領域に実装されている。具体的には、複数の第２の発光素子２２ｂは、光源基板２１の外周領域において、光源基板２１の周方向に間隔を置いて例えば１列のみ配置されている。これにより、発光モジュール２０全体において、複数の第２の発光素子２２ｂは、円環状に配置される。図９に示すように、第２の発光素子２２ｂは、導光板８０のリング状の入射部８３に対応するように配列されており、第２の発光素子２２ｂから出射する光は、導光板８０を導光して照明器具１の外部に出射する。
【００５０】
第１の発光素子２２ａ及び第２の発光素子２２ｂの各々は、例えば、パッケージ化された表面実装（ＳＭＤ：Ｓｕｒｆａｃｅ  Ｍｏｕｎｔ  Ｄｅｖｉｃｅ）型のＬＥＤ素子である。一例として、第１の発光素子２２ａ及び第２の発光素子２２ｂの各々は、凹部を有する白色樹脂製のパッケージ（容器）と、パッケージの凹部の底面に一次実装されたＬＥＤチップ（ベアチップ）と、パッケージの凹部内に封入された封止部材とを有している。封止部材は、例えばシリコーン樹脂等の透光性樹脂材料で構成されている。封止部材は、蛍光体等の波長変換材が含有された蛍光体含有樹脂であってもよい。
【００５１】
ＬＥＤチップは、所定の直流電力により発光する半導体発光素子の一例であって、単色の可視光を発するベアチップである。ＬＥＤチップは、例えば、通電されれば青色光を発する青色ＬＥＤチップである。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００５２】
このように、第１の発光素子２２ａ及び第２の発光素子２２ｂの各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子２２ａ及び第２の発光素子２２ｂの各々から白色光が出射される。
【００５３】
なお、本実施の形態では、第１の発光素子２２ａ及び第２の発光素子２２ｂは、いずれも同じ光色の光を発するようにしたが、互いに異なる光色の光を発するようにしてもよい。例えば、第１の発光素子２２ａが昼白色の光を発し、第２の発光素子２２ｂが電球色の光を発するようにしてもよい。
【００５４】
また、第１の発光素子２２ａと第２の発光素子２２ｂとは、同時に発光してもよいし、第１の発光素子２２ａ及び第２の発光素子２２ｂの一方が発光してもよい。複数の第１の発光素子２２ａ及び複数の第２の発光素子２２ｂの各々における接続の態様（直列接続、並列接続、及び、直列接続と並列接続との組み合わせの接続等）は、特に限定されるものではない。
【００５５】
図７Ａ及び図８に示すように、各光源基板２１の周方向における両端部の各々には、一対のコネクタ２３が設けられている。このうち、２つの光源基板２１については、一対のコネクタ２３のうちの一方と電源ユニット３０の電源基板３１の出力端子とがリード線２４（第１のリード線）によって接続されている。リード線２４は、発光素子２２（第１の発光素子２２ａ、第２の発光素子２２ｂ）を発光させるための電力を、電源ユニット３０から発光素子２２に供給するための電力供給線である。
【００５６】
つまり、リード線２４の一方の端部は、光源基板２１に接続されており、リード線２４の他方の端部は、電源基板３１に接続されている。リード線２４は、器具本体１０の第１の開口部１１ｂを通って、光源基板２１と電源基板３１とに接続されている。
【００５７】
また、図７Ａ及び図８に示すように、隣り合う２つの光源基板２１の対向する一対のコネクタ２３同士を接続するリード線２５（第２のリード線）が設けられている。つまり、リード線２５は、隣り合う２つの光源基板２１同士を電気的に接続するコネクタ線であり、隣り合う２つの光源基板２１は、リード線２５によって電気的に接続されている。
【００５８】
［１−４．電源ユニット］
電源ユニット３０は、発光モジュール２０（発光素子２２）を発光させるための電力を生成するための電源装置である。
【００５９】
図４及び図５に示すように、電源ユニット３０は、電源基板３１（第２の基板）と、電源基板３１に配置された回路素子３２とを有する。
【００６０】
電源基板３１は、回路素子３２を実装するための実装基板である。電源基板３１は、金属配線が形成されたプリント配線基板であり、例えば電源基板３１の一方の面には、金属配線が所定形状のパターンで形成されている。本実施の形態において、電源基板３１は、樹脂基板であり、略Ｌ字状に形成されている。
【００６１】
電源基板３１には、複数の回路素子３２が実装されている。電源基板３１は、複数の回路素子３２が床面側を向くようにして、第２の器具本体１２の第２の支持部１２ａに載置されている。本実施の形態では、電源基板３１は、第２の支持部１２ａに載置された絶縁ケース１３に載置されている。
【００６２】
回路素子３２は、発光素子２２（第１の発光素子２２ａ、第２の発光素子２２ｂ）を発光させるための電力を生成するための電源回路を構成する回路部品である。複数の回路素子３２は、商用電源から引っ掛けシーリングボディ３及び器具取付部材６０を介して供給される交流電力を直流電力に変換する。複数の回路素子３２で生成された直流電力が複数の発光素子２２（第１の発光素子２２ａ、第２の発光素子２２ｂ）の各々に供給されることにより、複数の発光素子２２の各々が発光する。複数の回路素子３２は、例えば、電解コンデンサ又はセラミックコンデンサ等の容量素子、抵抗器等の抵抗素子、整流回路素子、コイル素子、チョークコイル（チョークトランス）、ノイズフィルタ、ダイオード又は集積回路素子等の半導体素子等である。なお、回路素子３２には、調光回路又は昇圧回路等を構成する回路部品が含まれていてもよいし、無線通信回路を構成する回路部品（通信モジュール）等が含まれていてもよい。また、電源基板３１には、回路素子３２以外に、器具取付部材６０から延びるリード線（図示せず）が電気的に接続されるコネクタ端子（図示せず）が設けられていてもよい。
【００６３】
図４及び図８に示すように、本実施の形態では、第１の器具本体１１の第１の開口部１１ｂには、絶縁樹脂材料等によって構成された枠体部材１６が嵌め込まれている。第１の開口部１１ｂに枠体部材１６を嵌め込むことで、第１の開口部１１ｂの開口エッジを保護することができる。これにより、図８に示すように、第１の開口部１１ｂに挿通させるリード線２４が断線することを抑制できる。
【００６４】
［１−５．カバー］
カバー（グローブ）４０は、透光性を有する透光カバーである。図５に示すように、本実施の形態において、カバー４０は、照明器具１の外郭を構成する外郭カバーである。カバー４０は、器具本体１０、発光モジュール２０及び光源カバー５０を覆っている。
【００６５】
カバー４０は、発光素子２２（第１の発光素子２２ａ）が発する光を透過する。具体的には、カバー４０は、第１の発光素子２２ａから出射して光源カバー５０を透過した光を透過させる。
【００６６】
カバー４０は、透光性を有する樹脂材料を用いて形成することができる。カバー４０の材質は、例えばアクリル（ＰＭＭＡ）、ポリカーボネート（ＰＣ）、ポリエチレンテレフタレート（ＰＥＴ）又はポリ塩化ビニル等である。
【００６７】
本実施の形態において、カバー４０は、光拡散性を有する拡散カバーである。カバー４０に光拡散性を持たせることによって、カバー４０に入射する光源カバー５０からの光を拡散（散乱）させることができ、カバー４０の全体から均一に光を外部に取り出すことができる。
【００６８】
この場合、例えば、カバー４０は乳白色とすることでカバー４０に光拡散性を持たせることができる。具体的には、光拡散粒子を分散させた樹脂材料によってカバー４０を構成することによってカバー４０に光拡散性を持たせることができる。あるいは、カバー４０の内面又は外面に乳白色の光拡散膜を形成することによってカバー４０に光拡散性を持たせてもよいし、透明なカバー４０の表面に複数の光拡散ドット又は複数の微小凹凸（シボ）を形成することによって光拡散性を持たせてもよい。その他に、乳白色のカバー４０に対してさらに複数の光拡散ドット又は複数の微小凹凸を形成することによって光拡散性を持たせてもよい。
【００６９】
カバー４０は、反射部材９０に着脱自在に取り付けられ、導光板８０の開口部８１を覆うように配置されている。図３に示すように、カバー４０を反射部材９０から取り外すことにより、光源カバー５０が導光板８０の開口部８１から露出される。図５に示すように、カバー４０は、透光部（拡散部）４１及び取付部４２を有している。
【００７０】
透光部４１は、円板状に形成されており、図４に示すように、導光板８０の開口部８１を覆うように配置されている。なお、少なくとも透光部４１が透光性を有する材料で形成されていればよい。
【００７１】
図４及び図５に示すように、取付部４２は、透光部４１の外周部の全周から透光部４１の軸方向（Ｚ軸方向）にラッパ状に延びている。取付部４２は、反射部材９０の反射部９１の凸面側に着脱自在に取り付けられている。
【００７２】
なお、透光部４１の外周部はテーパ状に形成されている。これにより、透光部４１に厚み（Ｚ軸方向の大きさ）が生じるので、ユーザは、カバー４０を着脱する際に透光部４１を手で容易に掴むことができる。
【００７３】
［１−６．光源カバー］
光源カバー５０は、発光素子２２から出射する光が入射する光学部材の一例である。光源カバー５０は、複数の発光素子２２を覆う透光カバーである。具体的には、図９に示すように、光源カバー５０は、光源基板２１に配置された第１の発光素子２２ａを覆っている。つまり、光源カバー５０には、第１の発光素子２２ａから出射する光が入射する。第１の発光素子２２ａから出射した光は、光源カバー５０に入射して光源カバー５０を透過する。なお、光源カバー５０は、第２の発光素子２２ｂを覆っていない。
【００７４】
本実施の形態において、光源カバー５０は、第１の発光素子２２ａから出射する光の配光を制御する配光制御機能を有する。具体的には、図６及び図７Ａに示すように、光源カバー５０は、複数の第１の発光素子２２ａの各々に対応するレンズ部５０ａを有しており、複数のレンズ部５０ａの各々は、対応する第１の発光素子２２ａから出射する光の配光角を拡大する機能を有する。レンズ部５０ａは、複数の第１の発光素子２２ａと一対一で形成されている。レンズ部５０ａは、複数の第１の発光素子２２ａの配列に対応して光源カバー５０の全体にわたって形成されている。光源カバー５０の平面視形状はリング状であり、複数のレンズ部５０ａは、一定の幅のリング状領域内に存在するように形成されている。このように、光源カバー５０は、レンズ機能を有するレンズカバーである。
【００７５】
光源カバー５０は、リング状に配置された複数の光源基板２１を覆うようにして、器具本体１０に取り付けられている。具体的には、図９に示すように、光源カバー５０は、第１の器具本体１１の一方側の面に取付ネジ１００で取り付けられている。また、図５に示すように、光源カバー５０は、カバー４０の内側に配置されている。
【００７６】
図６及び図７Ａに示すように、光源カバー５０は、レンズ部５０ａが形成されたリング状部分の内周端部から内方に向かって突出する第１の突出部５１と、当該リング状部分の外周端部から外方に向かって突出する第２の突出部５２とを有する。
【００７７】
本実施の形態において、第１の突出部５１及び第２の突出部５２は、それぞれ複数設けられている。具体的には、第１の突出部５１は２つ設けられており、２つの第１の突出部５１は、互いに対向する位置に形成されている。また、第２の突出部５２は、６つ設けられている。
【００７８】
図６、図７Ａ及び図７Ｂに示すように、各第１の突出部５１には、貫通孔５１ａが形成されている。図９に示すように、貫通孔５１ａには、図１０に示される取付ネジ１００が挿通される。取付ネジ１００を貫通孔５１ａに挿通して第１の器具本体１１にねじ込むことで、光源カバー５０が器具本体１０に取り付けられる。なお、貫通孔５１ａは、第１の突出部５１におけるＺ軸方向に肉厚の肉厚部に形成されている。
【００７９】
取付ネジ１００は、貫通孔５１ａに対して遊びを持って挿通されている。つまり、取付ネジ１００は、貫通孔５１ａに遊貫されている。これにより、光源カバー５０は、取付ネジ１００に対して動ける状態となっている。また、取付ネジ１００は器具本体１０にネジ止めされているので、光源カバー５０は、取付ネジ１００と貫通孔５１ａとの遊びによって器具本体１０に対しても動ける状態となっている。つまり、光源カバー５０は、器具本体１０に対して遊動可能な状態で器具本体１０に取り付けられている。
【００８０】
具体的には、図９に示すように、取付ネジ１００の軸部１００ｃの軸方向において、軸部１００ｃの長さが貫通孔５１ａの長さよりも長くなっている。これにより、取付ネジ１００と貫通孔５１ａとの間には、取付ネジ１００の軸部１００ｃの軸方向（本実施の形態ではＺ軸方向）に遊びが存在する。このＺ軸方向の遊びによって、光源カバー５０は、取付ネジ１００の軸方向において器具本体１０に対して遊動可能となっている。なお、光源カバー５０は、この遊びの範囲内でＺ軸方向に動くことができる。
【００８１】
また、図７Ｂに示すように、平面視において貫通孔５１ａは長孔となっており、貫通孔５１ａと取付ネジ１００との間には隙間が存在している。これにより、取付ネジ１００と貫通孔５１ａとの間には、取付ネジ１００の軸部１００ｃの軸方向に対して垂直な方向（本実施の形態ではＸＹ平面に平行な方向）にも遊びが存在している。この水平方向の遊びによって、光源カバー５０は、水平方向（ＸＹ平面に平行な方向）においても器具本体１０に対して遊動可能となっている。なお、光源カバー５０は、この遊びの範囲内で水平方向に動くことができる。具体的には、光源カバー５０は、長孔である貫通孔５１ａの長手方向に動くことができる。
【００８２】
図６及び図７Ａに示すように、各第２の突出部５２には、凸部５２ａ（ボス）が形成されている。各凸部５２ａは、光源基板２１の開口部２１ａに一対一で対応しており、開口部２１ａに挿入される。図１１に示すように、光源基板２１と光源カバー５０とは、凸部５２ａが開口部２１ａに挿入されることで位置決めされている。つまり、凸部５２ａは、開口部２１ａと同様に、光源基板２１と光源カバー５０とを位置決めするための凹凸構造である。より具体的には、開口部２１ａに凸部５２ａが嵌合することで、光源基板２１と光源カバー５０とが互いに位置決めされる。これにより、光源基板２１に対する光源カバー５０の水平方向の動きが規制される。
【００８３】
図１１に示すように、本実施の形態において、凸部５２ａは、開口部２１ａを貫通して第１の器具本体１１に設けられた貫通孔１１ａ２にも挿入されている。つまり、凸部５２ａは、開口部２１ａと貫通孔１１ａ２に挿入されている。なお、貫通孔１１ａ２と凸部５２ａとの間には隙間が存在している。つまり、凸部５２ａは、貫通孔１１ａ２に遊貫されている。
【００８４】
このように構成される光源カバー５０は、透光性を有する樹脂材料によって構成されている。光源カバー５０の材質は、例えばアクリル、ポリカーボネート、ポリエチレンテレフタレート又はポリ塩化ビニル等である。なお、光源カバー５０の素材は、樹脂材料に限るものではなく、ガラス等であってもよい。
【００８５】
なお、本実施の形態において、光源カバー５０は、透明であって、光拡散性を有していないが、光源カバー５０は、光拡散性を有していてもよい。光源カバー５０に光拡散性を持たせることで、第１の発光素子２２ａの光を拡散（散乱）させることができるので、複数の第１の発光素子２２ａの光のつぶつぶ感（輝度ムラ）を抑制することができる。この場合、光源カバー５０は、例えば、乳白色であり、光拡散粒子を分散させた樹脂材料によって構成することができる。また、光源カバー５０の内面又は外面に乳白色の光拡散膜を形成したり、光源カバー５０に複数の光拡散ドット又は複数の微小凹凸を形成したりすることで、光源カバー５０に光拡散性を持たせてもよい。
【００８６】
［１−７．器具取付部材］
図４に示すように、器具取付部材６０は、天井２に設置された引っ掛けシーリングボディ３に器具本体１０を着脱自在に取り付けるためのアダプタである。器具取付部材６０は、例えば絶縁性を有する樹脂材料により形成される。
【００８７】
図４及び図５に示すように、器具取付部材６０は、略円柱状に形成され、器具本体１０のホルダ１４の内部に着脱自在に嵌合される。また、器具取付部材６０は、引っ掛けシーリングボディ３に着脱自在に取り付けられる。器具取付部材６０には、Ｌ字状の一対の金具（図示せず）が設けられている。これらの一対の金具がそれぞれ引っ掛けシーリングボディ３の一対の孔に引っ掛けられることにより、器具取付部材６０が引っ掛けシーリングボディ３に着脱自在に取り付けられる。なお、器具取付部材６０の金具は、引っ掛けシーリングボディ３と照明器具１との電気的な接続も兼ねている。
【００８８】
照明器具１を天井２に設置する際、まず、器具取付部材６０を引っ掛けシーリングボディ３に取り付ける。その後、器具取付部材６０が器具本体１０のホルダ１４の内部に挿入されるようにして、器具本体１０を天井２側に押し上げることでホルダ１４と器具取付部材６０とを嵌合させる。これにより、器具本体１０が器具取付部材６０及び引っ掛けシーリングボディ３を介して天井２に取り付けられ、照明器具１が天井２に設置される。
【００８９】
なお、引っ掛けシーリングボディ３は、天井２の裏側に配置された商用電源（図示せず）と電線（図示せず）を介して電気的に接続されている。照明器具１が天井２に設置されることにより、商用電源からの交流電力が電線及び引っ掛けシーリングボディ３を介して照明器具１の電源ユニット３０に供給される。
【００９０】
［１−８．化粧カバー］
図４及び図５に示すように、化粧カバー７０は、器具本体１０を側方から覆って化粧するためのカバーである。化粧カバー７０は、リング状に形成されている。具体的には、化粧カバー７０は、一端部（床面側の端部）から他端部（天井２側の端部）に向けてラッパ状に広がっており、器具本体１０を側方から覆うように配置されている。なお、化粧カバー７０は、例えば白色のポリスチレン樹脂等で形成されている。
【００９１】
化粧カバー７０の一端部には、化粧カバー７０の径方向内側且つ化粧カバー７０の他端部に向けて湾曲しながら延びるリング状の支持部７１が形成されている。図５に示すように、支持部７１は、導光板８０の湾曲部８２の凹面側を支持している。
【００９２】
化粧カバー７０の内面には、化粧カバー７０の全周に亘って延びるリング状の突部７２が形成されている。突部７２は、第１の器具本体１１のフランジ部１１ｄに接触する。これにより、化粧カバー７０は、第１の器具本体１１に対して位置決めされる。
【００９３】
［１−９．導光板］
導光板８０は、発光素子２２から出射する光が入射する光学部材の他の一例である。具体的には、導光板８０は、複数の第２の発光素子２２ｂの各々から出射する光を照明器具１の外部に導くための導光部材である。
【００９４】
図４、図１２及び図１３に示すように、導光板８０は、略円形状の開口部８１を有するリング状に形成されている。導光板８０は、光導領域として、湾曲部８２、入射部８３及び出射部８４を有している。導光板８０は、透光性を有する材料（例えば透明のアクリル樹脂等）で形成されている。
【００９５】
湾曲部８２は、一端部（天井２側の端部）から他端部（床面側の端部）に向けてラッパ状に広がっている。複数の第１の発光素子２２ａ及び光源カバー５０は、開口部８１に対向する位置に配置されている。湾曲部８２は、光を一端部から他端部に向けて導く。具体的には、入射部８３から入射した光を出射部８４に導光する。湾曲部８２の凹面側は、化粧カバー７０の支持部７１に支持されている。湾曲部８２の凸面側は、反射部材９０の反射部９１により覆われている。すなわち、湾曲部８２は、化粧カバー７０の支持部７１と反射部材９０の反射部９１との間に挟持されている。
【００９６】
入射部８３は、湾曲部８２の一端部の全周に亘ってリング状に形成されており、導光板８０の内周部を規定する。図９に示すように、入射部８３は、複数の第２の発光素子２２ｂに対向且つ近接する位置に配置されている。すなわち、複数の第２の発光素子２２ｂは、導光板８０の内周部に対向する位置に配置されている。これにより、入射部８３には、第２の発光素子２２ｂから出射した光が入射する。
【００９７】
図４及び図５に示すように、出射部８４は、湾曲部８２の他端部の全周から導光板８０の径方向外側にリング状に延びており、導光板８０の外周部を規定する。出射部８４は、化粧カバー７０の一端部よりも導光板８０の径方向外側に張り出しており、略水平な姿勢で（すなわち、天井２に対して略平行な姿勢で）配置されている。出射部８４の一方側の面（床面側の面）は、光が出射する面である。出射部８４の他方側の面（天井２側の面）には、例えばドット加工によりプリズム（図示せず）が形成されている。湾曲部８２によって導光した第２の発光素子２２ｂの光は、出射部８４から面発光となって出射する。
【００９８】
また、図１２及び図１３に示すように、導光板８０には、突出部５２が形成されている。突出部５２は、入射部８３から開口部８１に向かって突出するように且つ内周に沿って形成されている。突出部５２には、取付ネジ１２０が挿入される貫通孔８５ａが設けられている。図１４に示すように、貫通孔８５ａに取付ネジ１２０が挿入されることで導光板８０が器具本体１０に取り付けられる。なお、貫通孔８５ａは、切り欠き状に形成されているが、これに限るものではない。
【００９９】
［１−１０．反射部材］
反射部材９０は、導光板８０の湾曲部８２の内部で導かれた光を反射するための部材である。
【０１００】
反射部材９０は、リング状に形成されている。具体的には、反射部材９０は、図９及び図１４に示すように、反射部９１、押さえ部９２及び仕切り部９３を有している。
【０１０１】
反射部９１は、一端部（天井２側の端部）から他端部（床面側の端部）に向けてラッパ状に広がっている。反射部９１の凹面側には反射面が形成されている。反射部９１の凹面側は、導光板８０の湾曲部８２の凸面側を覆っている。
【０１０２】
押さえ部９２は、反射部９１の一端部の全周から反射部材９０の径方向内側にリング状に延びている。押さえ部９２の先端部は、光源カバー５０の外周端部を光源基板２１に向けて押さえ付ける。具体的には、図１４に示すように、押さえ部９２に設けられた貫通孔９２ａに取付ネジ１２０を挿入して器具本体１０にネジ止めされることで、押さえ部９２が光源基板２１を押さえ付ける。
【０１０３】
仕切り部９３は、押さえ部９２の全周に亘ってリング状に形成され、光源カバー５０の外周部と導光板８０の入射部８３との間を仕切るように突出している。仕切り部９３は、光源カバー５０から導光板８０に向かう光及び導光板８０から光源カバー５０に向かう光を遮光する。
【０１０４】
反射部材９０は、例えば白色樹脂で形成されている。反射部材９０を構成する樹脂材料としては、例えばポリカーボネート又はＰＢＴ（ポリブチレンテレフタレート）等を用いることができる。
【０１０５】
［１−１１．取付ネジ］
照明器具１には、取付ネジ１００及び１２０が用いられている。本実施の形態において、取付ネジ１００及び１２０は、段付きネジである。
【０１０６】
上述のように、取付ネジ１００（第１の取付ネジ）は、光源カバー５０を器具本体１０に取り付けるためのネジである。具体的には、図９に示すように、取付ネジ１００は、光源カバー５０の貫通孔５１ａに挿通されて第１の器具本体１１の第１のネジ孔１１ａ１にネジ止めされている。この場合、取付ネジ１００は、光源カバー５０の貫通孔５１ａに対して遊びを持って挿通されて器具本体１０（第１の器具本体１１）にネジ止めされている。
【０１０７】
図１０に示すように、取付ネジ１００は、ネジ部１００ａと、頭部１００ｂと、ネジ部１００ａ及び頭部１００ｂの間に位置する軸部１００ｃとを有する。
【０１０８】
ネジ部１００ａは、ネジ山を有し、器具本体１０にねじ込まれる。具体的には、図９に示すように、ネジ部１００ａは、第１の器具本体１１の第１のネジ孔１１ａ１にねじ込まれる。
【０１０９】
この場合、頭部１００ｂは、光源カバー５０の貫通孔５１ａの入口部に係止される。具体的には、頭部１００ｂは、貫通孔５１ａの入口部の開口端縁に係止されるつば部を有する。
【０１１０】
軸部１００ｃは、貫通孔５１ａ内に位置する。軸部１００ｃの軸方向において、軸部１００ｃの長さは、貫通孔５１ａの長さよりも長くなっている。つまり、取付ネジ１００が器具本体１０にネジ止めされている状態において、軸部１００ｃは、貫通孔５１ａからはみ出している。本実施の形態において、軸部１００ｃの径は、ネジ部１００ａの径よりも大きい。
【０１１１】
取付ネジ１２０（第２の取付ネジ）は、導光板８０及び反射部材９０を器具本体１０に取り付けるためのネジである。具体的には、図１４に示すように、取付ネジ１２０は、反射部材９０の貫通孔９２ａ、導光板８０の貫通孔８５ａ及び光源基板２１の開口部２１ｂに挿通されて第１の器具本体１１の第２のネジ孔１１ａ３にネジ止めされる。取付ネジ１２０を第１の器具本体１１にネジ止めすることで、光源基板２１は反射部材９０の押さえ部９２に押さえ付けられるとともに、反射部材９０及び導光板８０が器具本体１０（第１の器具本体１１）に取り付けられる。つまり、反射部材９０、光源基板２１、導光板８０及び器具本体１０（第１の器具本体１１）は、取付ネジ１２０によって共締めされている。
【０１１２】
なお、取付ネジ１２０は、取付ネジ１００と同様の構成であり、図１４に示すよう、ネジ部１２０ａと、頭部１２０ｂと、ネジ部１２０ａ及び頭部１２０ｂの間に位置する軸部１２０ｃとを有する。
【０１１３】
［１−１２．照明器具の点灯時の態様］
次に、上述した照明器具１の点灯時の態様について、図９を用いて説明する。
【０１１４】
電源ユニット３０からの直流電力が発光モジュール２０に供給されることにより、発光素子２２（第１の発光素子２２ａ、第２の発光素子２２ｂ）が発光する。
【０１１５】
この場合、複数の第１の発光素子２２ａの各々から出射する光は、光源カバー５０のレンズ部５０ａを透過した後、カバー４０に入射する。カバー４０に入射した第１の発光素子２２ａの光は、カバー４０で拡散されながらカバー４０を透過する。このように、第１の発光素子２２ａから出射する光は、導光板８０に入射せずに照明器具１の外部に照射される。
【０１１６】
一方、複数の第２の発光素子２２ｂの各々からの光は、導光板８０の入射部８３に入射した後、湾曲部８２の内部を導光する。湾曲部８２の内部において、光は、反射部材９０の反射部９１で反射されながら入射部８３から出射部８４に向けて導かれる。出射部８４へと導かれた光は、出射部８４の他方側の面に形成されたプリズムで反射することにより、出射部８４の一方側の面（床面側の面）から出射する。
【０１１７】
［２．作用効果］
次に、照明器具１の作用効果について説明する。
【０１１８】
本実施の形態における照明器具１は、器具本体１０と、器具本体１０に配置された光源基板２１と、光源基板２１に配置された第１の発光素子２２ａと、貫通孔５１ａを有し、第１の発光素子２２ａから出射する光が入射する光源カバー５０と、光源カバー５０を器具本体１０に取り付けるための取付ネジ１００とを備えている。そして、光源基板２１と光源カバー５０とは、凹凸構造によって互いに位置決めされており、取付ネジ１００は、貫通孔５１ａに対して遊びを持って挿通されて器具本体１０にネジ止めされている。
【０１１９】
このように、照明器具１では、光源基板２１と光源カバー５０とが凹凸構造によって互いに位置決めされている。これにより、光源基板２１に対する光源カバー５０の水平方向（ＸＹ平面に平行な方向）の動きが規制される。このため、光源カバー５０及び光源基板２１の間では位置ずれが生じないので、光源基板２１に配置された第１の発光素子２２ａと光源カバー５０とについても位置ずれが生じない。この結果、第１の発光素子２２ａと光源カバー５０との位置ずれによって生じる光取り出し効率の低下を抑制することができる。
【０１２０】
しかも、光源カバー５０を器具本体１０に取り付けるための取付ネジ１００が、光源カバー５０の貫通孔５１ａに対して遊びを持って挿通されて器具本体１０にネジ止めされている。これにより、照明器具１の点消灯による温度変化によって光源カバー５０及び器具本体１０が膨張したり収縮したりしても、その膨張や収縮によって発生する応力を上記遊びによって緩和することができる。この結果、光源カバー５０及び器具本体１０にクラックが発生したり音なりが生じたりすることを抑制できる。
【０１２１】
特に、光源カバー５０と器具本体１０との材料が異なっていて光源カバー５０の線膨張係数と器具本体１０の線膨張係数とが異なっている場合には、光源カバー５０及び器具本体１０の線膨張係数差によってクラック及び音なりが発生しやすい。例えば、本実施の形態のように、光源カバー５０が樹脂製で、器具本体１０が金属製であると、金属と樹脂とでは線膨張係数が大きく異なることから、光源カバー５０及び器具本体１０の熱膨張（体積膨張）又は熱収縮（体積収縮）の差が大きくなる。この結果、光源カバー５０及び器具本体１０が互いに接触又は近接していて厚み方向に締め付けられて固定されている場合には、光源カバー５０及び器具本体１０の熱膨張によって互いに圧縮応力が発生したり、光源カバー５０及び器具本体１０の熱収縮によって互いに引張り応力が発生したりして、光源カバー５０及び器具本体１０にクラック及び音なりが発生しやすい。特に、樹脂製の光源カバー５０の方が金属製の器具本体１０よりも機械的強度が弱いので、光源カバー５０の方にクラックが発生しやすい。
【０１２２】
これに対して、本実施の形態では、取付ネジ１００が、光源カバー５０の貫通孔５１ａに対して遊びを持って挿通されて器具本体１０にネジ止めされているので、線膨張係数が異なる光源カバー５０と器具本体１０とが膨張したり収縮したりしても、光源カバー５０と器具本体１０との線膨張係数差による体積変化分を、上記遊びによる隙間によって吸収することができる。これにより、光源カバー５０及び器具本体１０にクラックが発生したり音なりが発生したりすることを抑制できる。
【０１２３】
このように、光源カバー５０は、取付ネジ１００によって器具本体１０に固定されていながらも、取付ネジ１００を光源カバー５０の貫通孔５１ａに対して遊びを持って挿通させることで締め込まれずに器具本体１０とはある程度のガタツキを持たせた状態としつつ、光源カバー５０と光源基板２１とは位置決めされて動きが規制された状態になっている。
【０１２４】
したがって、本実施の形態における照明器具１によれば、光源基板２１と光源カバー５０との位置ずれを抑制しつつ、ネジ止めされた光源カバー５０と器具本体１０との膨張及び収縮によって生じる応力及び音なりを抑制できる。
【０１２５】
また、本実施の形態において、光源カバー５０は、取付ネジ１００と貫通孔５１ａとの遊びによって取付ネジ１００の軸方向に対して遊動可能となっている。
【０１２６】
これにより、光源カバー５０及び器具本体１０の膨張や収縮による体積変化分を、光源カバー５０が取付ネジ１００の軸方向に移動することで吸収することができる。
【０１２７】
また、本実施の形態において、取付ネジ１００は、ネジ部１００ａと、頭部１００ｂと、ネジ部１００ａ及び頭部１００ｂの間に位置する軸部１００ｃとを有している。そして、ネジ部１００ａは、器具本体１０にねじ込まれ、頭部１００ｂは、貫通孔５１ａの入口部に係止され、軸部１００ｃは、貫通孔５１ａ内に位置しており、軸部１００ｃの軸方向において、軸部１００ｃの長さは、貫通孔５１ａの長さよりも長くなっている。
【０１２８】
これにより、光源カバー５０が取付ネジ１００によって器具本体１０に取り付けられた状態で、光源カバー５０を取付ネジ１００の軸方向に対して容易に移動させることができる。
【０１２９】
また、本実施の形態において、取付ネジ１００の軸部１００ｃの径は、ネジ部１００ａの径よりも大きくなっている。
【０１３０】
これにより、取付ネジ１００を器具本体１０にねじ込んだときに、器具本体１０にはネジ部１００ａだけがねじ込まれ、軸部１００ｃは器具本体１０にねじ込まれないようにすることができる。この結果、取付ネジ１００のねじ込み過ぎを回避することができるので、軸部１００ｃの長さが貫通孔５１ａの長さよりも長い状態を容易に実現することができる。したがって、光源カバー５０の取付ネジ１００の軸方向に対する遊動可能な状態を容易に確保することができる。
【０１３１】
また、本実施の形態において、貫通孔５１ａと取付ネジ１００との間には、隙間が存在している。
【０１３２】
このように、貫通孔５１ａと取付ネジ１００との間に隙間を設けることで、取付ネジ１００と貫通孔５１ａとの遊びを、取付ネジ１００の軸方向に直交する方向（水平方向）に設けることができる。これにより、光源カバー５０を水平方向に遊動可能にすることができる。この結果、光源カバー５０及び器具本体１０の膨張や収縮による体積変化分を、光源カバー５０が水平方向に移動することで吸収することができる。
【０１３３】
この場合、平面視において、貫通孔５１ａは、長孔になっているとよい。
【０１３４】
これにより、取付ネジ１００と貫通孔５１ａとの遊びを、長孔である貫通孔５１ａの長手方向に容易に設けることができる。これにより、長孔である貫通孔５１ａの長手方向に光源カバー５０を移動させることで、光源カバー５０及び器具本体１０の膨張や収縮による体積変化分を吸収することができる。
【０１３５】
また、本実施の形態において、光源基板２１及び光源カバー５０の位置決めをするための凹凸構造として、光源基板２１は開口部２１ａを有し、光源カバー５０は凸部５２ａを有しているそして、光源基板２１と光源カバー５０とは、凸部５２ａが開口部２１ａに挿入されることで位置決めされている。つまり、光源基板２１及び光源カバー５０の位置決めをするための凹凸構造を、光源基板２１の開口部２１ａと光源カバー５０の凸部５２ａとで構成している。
【０１３６】
これにより、光源基板２１と光源カバー５０との位置決めを容易に行うことができる。
【０１３７】
また、本実施の形態において、光源基板２１は、複数に分割されている。
【０１３８】
このように、光源基板２１が複数に分割されていても、凹凸構造によって光源基板２１と光源カバー５０との位置決めを容易に行うことができる。
【０１３９】
また、本実施の形態において、第１の発光素子２２ａは、複数であり、光源カバー５０は、複数の第１の発光素子２２ａを覆う透光性のカバーであり、光源カバー５０は、複数の第１の発光素子２２ａの各々に対応するレンズ部５０ａを有する。
【０１４０】
これにより、第１の発光素子２２ａから出射する光をレンズ部５０ａで配光制御することができる。また、このようなレンズ部５０ａを有する光源カバー５０を用いた場合であっても、本実施の形態における照明器具１では、光源基板２１と光源カバー５０とが凹凸構造によって互いに位置決めされているので、光源基板２１に配置された各第１の発光素子２２ａと光源カバー５０の各レンズ部５０ａとについての位置ずれが生じないない。この結果、第１の発光素子２２ａから出射する光の配光制御を精度よく行うことができるとともに、第１の発光素子２２ａとレンズ部５０ａとの位置ずれによる光取り出し効率の低下を抑制できる。
【０１４１】
（変形例等）
以上、本発明について実施の形態に基づいて説明したが、本発明は、上記実施の形態に限定されるものではない。
【０１４２】
例えば、上記実施の形態では、光源基板２１と位置決めされる光学部材として、光源カバー５０を例示したが、これに限るものではなく、光源基板２１と位置決めされる光学部材は、導光板８０又はカバー４０等であってもよい。
【０１４３】
また、上記実施の形態では、光源基板２１と光源カバー５０（光学部材）とを位置決めするための凹凸構造として、光源基板２１の開口部２１ａと光源カバー５０の凸部５２ａとで実現したが、これに限るものではない。光源基板２１と光源カバー５０（光学部材）とを位置決めするための凹凸構造として、光源基板２１に凸部を設けるとともに光源カバー５０に開口部（凹部又は貫通孔等）を設けて、光源基板２１の凸部と光源カバー５０の開口部とで位置決めを行ってもよい。
【０１４４】
また、上記実施の形態では、照明器具１が取り付けられる造営材は天井２であるとしたが、これに限定されず、造営材は例えば建物の内部の壁等であってもよい。
【０１４５】
また、上記実施の形態では、照明器具１をシーリングライトとしたが、これに限定されない。例えば、照明器具１は、例えばシャンデリア、ペンダントライト、ブラケットライト、バスルームライト又はキッチンライト等であってもよい。
【０１４６】
また、上記実施の形態において、発光モジュール２０は、発光素子２２としてＳＭＤ型のＬＥＤ素子を用いたＳＭＤタイプのＬＥＤモジュールであったが、これに限らない。例えば、発光モジュール２０は、発光素子２２としてＬＥＤチップが用いられたＣＯＢ（Ｃｈｉｐ  Ｏｎ  Ｂｏａｒｄ）タイプのＬＥＤモジュールであってもよい。この場合、発光モジュール２０は、光源基板２１と、光源基板２１に直接実装された１つ又は複数のＬＥＤチップ（ベアチップ）と、ＬＥＤチップを封止する蛍光体含有樹脂等の封止部材とによって構成される。
【０１４７】
また、上記実施の形態では、光源基板２１を分割して複数の光源基板２１をリング状に並べることにより発光モジュール２０を構成したが、これに限定されない。具体的には、光源基板２１を分割することなく１つのリング状の光源基板２１で発光モジュール２０を構成してもよい。
【０１４８】
また、上記実施の形態では、発光素子２２としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【０１４９】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１５０】
１  照明器具
１０  器具本体
２１  光源基板（基板）
２１ａ  開口部
２２  発光素子
５０  光源カバー（光学部品）
５０ａ  レンズ部
５１ａ  貫通孔
５２ａ  凸部
１００  取付ネジ
１００ａ  ネジ部
１００ｂ  頭部
１００ｃ  軸部
【図１】
0006741978.tif 000002
【図２】
0006741978.tif 000003
【図３】
0006741978.tif 000004
【図４】
0006741978.tif 000005
【図５】
0006741978.tif 000006
【図６】
0006741978.tif 000007
【図７Ａ】
0006741978.tif 000008
【図７Ｂ】
0006741978.tif 000009
【図８】
0006741978.tif 000010
【図９】
0006741978.tif 000011
【図１０】
0006741978.tif 000012
【図１１】
0006741978.tif 000013
【図１２】
0006741978.tif 000014
【図１３】
0006741978.tif 000015
【図１４】
0006741978.tif 000016